(57)【要約】【課題】  撮像装置において光軸と異なる方向に絞り成型された金属外装において、組み立て性を考慮したカメラの外装を提供する。【解決手段】  撮像装置の外観を形成する金属の外装部材と該外装部材の外装面より突出し該外装に固着される構成部材とを有する撮像装置において、前記外装部材は撮像光軸と異なる方向に絞り成型され該方向に平行で互いに対向する第１の構成面と第２の構成面を具備し、該第１の構成面には前記構成部材を突出させる為の第１の開口部を有し、該第２の構成面には前記第１の開口部より大きな第２の開口部を有することを特徴とする。【選択図】        図１
2006119269.tif 000002
【特許請求の範囲】
【請求項１】
撮像装置の外観を形成する金属の外装部材と該外装部材の外装面より突出し該外装に固着される構成部材とを有する撮像装置において、前記外装部材は撮像光軸と異なる方向に絞り成型され該方向に平行で互いに対向する第１の構成面と第２の構成面を具備し、該第１の構成面には前記構成部材を突出させる為の第１の開口部を有し、該第２の構成面には前記第１の開口部より大きな第２の開口部を有することを特徴とする撮像装置。
【請求項２】
撮像光軸と異なる方向に絞り成型された撮像装置の金属外装において前記第１の構成面を前記第２の構成面に垂直方向に投影した際に第１の構成面にある第１の開口部と第２の構成面にある第１の開口部より大きな第２の開口部が重なっていることを特徴とする撮像装置。
【請求項３】
前記の構成部材は外装より突出するストロボ前面にある光学部材であり第１の開口部に固着され、第２の開口部は液晶表示部を露出させる為の開口部であることを特徴とする請求項１の撮像装置の金属外装。
【請求項４】
前記の構成部材は外装より突出する操作部材であり第１の開口部に固着され、第２の開口部はレンズ鏡筒のための開口部であることを特徴とする請求項１の撮像装置の金属外装。
【発明の詳細な説明】
【技術分野】
【０００１】
本発明は、撮像装置の外装、特に絞り成型による金属外装を具備する撮像装置に関するものである。
【背景技術】
【０００２】
従来の撮像装置では、撮影レンズユニット、ストロボユニットや電池収納ユニットなどの複数ユニットにより構成される撮像本体部と該撮像本体部を保護する外装により構成されている。
【０００３】
近年の撮像装置の小型化に伴い、外装においては薄肉の金属を絞り成型したものが採用されている。撮像装置の外装は撮像本体部への組み付け作業の為に複数に分割されているため、分割部を合わせるために外装の内側に補助部材を設ける必要がある。また、組み付け後に分割部に微小な段差が生じたり、分割位置がユーザーが触れる操作部材の周辺部にある場合には外装単独で十分な剛性を確保し難いといった問題がある。
【０００４】
上記の問題に対し、特許文献１で提案されている絞り成型法を用いて、薄肉でありながらも一体化した金属外装が考えられる。
【特許文献１】特開平８−５５６１３
【発明の開示】
【発明が解決しようとする課題】
【０００５】
しかしながら、撮像本体部には操作ボタンやストロボ前面の光学部材等の外装より突出している突出部があり、絞り成型により一体化した外装の内側から外装に部材を固着させる作業や一体化した外装に外装より突出する部分を有する撮像本体部を組み込むことは困難である。
【０００６】
本発明の目的は、撮像装置において光軸と異なる方向に絞り成型された金属外装において、組み立て性を考慮したカメラの外装構成を提案することである。
【課題を解決するための手段】
【０００７】
本発明は上記の課題を解決するものであり、請求項１に記載の発明は、撮像光軸と異なる方向に絞り成型され該方向に平行で互いに対向する２つの構成面において、第２の構成面には構成部材を突出させる為の第１の開口部より大きな第２の開口部を設けている為に、外装より突出する部材を固着する作業を容易にすることができ、絞り成型された外装を有する撮像装置を構成できる。
【０００８】
請求項２に記載の発明は第１の開口部と第１の開口部より大きな第２の開口部が投影した際に重ねることにより外装より突出する部材を固着する作業を容易にすることができ、絞り成型された外装を有する撮像装置を構成できる。
【０００９】
請求項３に記載の発明は第１の開口部に固着さる構成部材は外装より突出するストロボ前面にある光学部材で第２の開口部は液晶表示部を露出させる為の開口部であり、ストロボ前面にある光学部材は第２の開口部より容易に外装内側より外装に固着できる。
【００１０】
請求項４に記載に記載の発明は第１の開口部に固着さる構成部材は外装より突出する操作部材で第２の開口部はレンズ鏡筒のための開口部であり、操作部材は第２の開口部より容易に外装内側より外装に固着できる。
【発明の効果】
【００１１】
本発明によれば、撮像装置の外装、特に絞り成型による金属外装を具備する組み立て性を考慮した撮像装置が提案可能である。
【発明を実施するための最良の形態】
【００１２】
以下本発明を実施するための最良の形態を、実施例により詳しく説明する。
【実施例１】
【００１３】
図１、図２は本発明の第１の実施形態を表す図画であり、絞り成型により一体化されたカメラの外装の斜視図である。図１において、撮像光軸１１と直交する方向に絞り成型の際にできる絞り開口部１３と、該方向に平行な構成面１４がある。構成面１４には後加工によるファインダー光学系の為の開口部２１、鏡筒の為の開口部１８、ストロボ前面にあるレンズの為の開口部１６がある。図２は図１の背面から見た図であり、前記の絞り成型の方向に平行で構成面１４に向き合う構成面１５があり、構成面１５には液晶表示の為の開口部１７、操作部のための開口部２０がある。カメラ本体部２２には本体部を構成する液晶ユニット２３、ファインダーユニット２７、ストロボユニット２８、操作ボタン２４、２５があり、絞り開口部１３より挿入され組み立てられる。開口部１６には外装より突出するストロボ前面よりあるレンズが外装の内側より固着される。また、開口部２０、２６には外装より突出する操作部材が外装の内側に固着される。固着の際には各開口部の反対面に前記開口部より大きな開口部があることから固着の作業は固着する面と反対面の開口部から作業すれば良く容易である。
【実施例２】
【００１４】
図３は本発明の第２の実施形態を表す図画である。同図は撮像光軸と直交する方向に絞り成型したカメラの外装を構成面１５の方向、つまり撮影者側から見たカメラの背面図であり、液晶表示部のための開口部１７がある。構成面１５と反対側の構成面１４にあるストロボ前面にあるレンズの為の開口部１６は開口部１７よりも小さく、一般的に撮影者が保持した際に手で覆わないような位置にある。開口部１７は光軸方向に投影すると開口部１６に重なり合うようになっており、開口部１７より外装の内側にストロボ前面にあるレンズを固着させる作業性を行ないやすい。
【実施例３】
【００１５】
図４は本発明の第３の実施形態を表す図画である。同図は撮像光軸と直交する方向に絞り成型したカメラの外装をカメラ正面側である構成面１４の方向から見ており、構成面１４にある鏡筒の為の開口部１８からは構成面１４と反対側の構成面１５にある操作部のための開口部と光軸方向に投影すると重なり合うような配置となっており、開口部１８から外装の内側に操作部材を固着させる作業を行いやすい。
【図面の簡単な説明】
【００１６】
【図１】本発明の第１の実施形態に係るカメラの外装の斜視図である。
【図２】図２は図１とは反対の面から見たカメラの外装の斜視図である。
【図３】図３は本発明の第２の実施形態に係るカメラ外装の背面図である。
【図４】図４は本発明の第３の実施形態に係るカメラ外装の正面図である。
【図５】図５は従来のカメラの外装の形態を示す図である。
【符号の説明】
【００１７】
１１  光軸方向
１３  絞り開口部
１４  第１の構成面
１５  第２の構成面
１６  ストロボ用開口部
１７  液晶表示用開口部
１８  鏡筒用開口部
２０  操作部用開口部
２１  ファインダー光学用開口部
２２  カメラ本体部
２３  液晶ユニット
２４、２５  操作ボタン
２６  操作部用開口部
２７  ファインダーユニット
２８  ストロボユニット
【図１】
2006119269.tif 000003
【図２】
2006119269.tif 000004
【図３】
2006119269.tif 000005
【図４】
2006119269.tif 000006
【図５】
2006119269.tif 000007